(57)【要約】【課題】第２梁５の端部を連結棒３の存在にかかわらず木製の第１梁２にしっかりと連結することができ、しかも、それをスッキリとした構造で実現することができる梁勝ちの柱梁架構構造を提供する。【解決手段】連結棒３の通される連結孔７内にジョイントパイプ１１がその周壁を連結棒３の外周側に位置させるようにして備えられ、第１梁２に前記ジョイントパイプ１１を下地として第２梁５の端部が連結されている。【選択図】      図１
2006233495.tif 000002
【特許請求の範囲】
【請求項１】
柱の上端面に木製の第１梁が載置され、該第１梁に上下方向に貫通する連結孔が設けられ、該連結孔に通された連結棒で柱と第１梁とが連結された梁勝ちの柱梁架構構造において、
前記連結孔内にジョイントパイプがその周壁を連結棒の外周側に位置させるようにして備えられ、
第１梁に前記ジョイントパイプを下地として第２梁の端部が連結されていることを特徴とする梁勝ちの柱梁架構構造。
【発明の詳細な説明】
【技術分野】
【０００１】
本発明は、木造建物などに用いられる梁勝ちの柱梁架構構造に関する。
【背景技術】
【０００２】
図３に示すように、例えば、左右の柱１，１の上端面に第１梁２の端部が載置され、柱１，１と第１の梁２が、上下方向に通された連結棒３…で連結された木造の梁勝ち門型架構構造４において、第１梁２の端部に第２梁５の端部を連結するような場合、第１梁２に通されている連結棒３が第２梁５の端部の連結の妨げとなって、第２梁５の端部を第１梁２の端部にしっかりと連結することができないことがある。
【発明の開示】
【発明が解決しようとする課題】
【０００３】
本発明は、例えば上記のような場合などにおいて、第２梁の端部を連結棒の存在にかかわらず第１梁にしっかりと連結することができ、しかも、それをスッキリとした構造で実現することができる梁勝ちの柱梁架構構造を提供することを課題とする。
【課題を解決するための手段】
【０００４】
上記の課題は、柱の上端面に木製の第１梁が載置され、該第１梁に上下方向に貫通する連結孔が設けられ、該連結孔に通された連結棒で柱と第１梁とが連結された梁勝ちの柱梁架構構造において、
前記連結孔内にジョイントパイプがその周壁を連結棒の外周側に位置させるようにして備えられ、
第１梁に前記ジョイントパイプを下地として第２梁の端部が連結されていることを特徴とする梁勝ちの柱梁架構構造によって解決される。
【０００５】
この構造では、連結棒が通される第１梁の連結孔に、ジョイントパイプがその周壁を連結棒の外周側に位置させるようにして備えられ、第２梁の端部が該ジョイントパイプを下地として第１梁に取り付けられているので、連結棒の存在にかかわらず、第２梁の端部を第１梁に対してしっかりとした連結状態にすることができる。
【０００６】
しかも、連結孔と連結棒との間の環状スペースにジョイントパイプを設置しただけのものであるから、それをスッキリとした構造で実現することができる。
【発明の効果】
【０００７】
本発明は、以上のとおりのものであるから、第２梁の端部を連結棒の存在にかかわらず第１梁にしっかりと連結することができ、しかも、それを容易に実現することができる。
【発明を実施するための最良の形態】
【０００８】
次に、本発明の実施最良形態を図面に基づいて説明する。
【０００９】
図１及び図２に示す本実施形態は、図３に示すように、左右の柱１，１の上端面に第１梁２の端部が載置され、柱１，１と第１梁２が、上下方向に通された連結棒３…で連結された木造の梁勝ち門型架構４において、第１梁２の端部に第２の木製梁５の端部を連結金物６で連結する場合のものである。
【００１０】
即ち、門型架構を構成する第１梁２の端部には、上下方向に貫通する２本の連結孔７，７が設けられ、各連結孔７，７に、柱１に板ナット８などで連結されたＰＣ鋼などからなる連結棒３が通され、各連結棒３の上端部には雄ネジ部３ａが設けられ、該雄ネジ部３ａに対して第１梁２の端部上面側からナット９が螺合され締め付けられて、柱１と第１梁２が連結されている。なお、１０は金属プレートで、両ナット９，９と第１梁２の端部上面との間に介設されている。
【００１１】
そして、第１梁２において、端部側に位置している連結孔７は、連結棒３よりも径大に形成されていて、該連結孔７内には、連結孔７と連結棒３との間に形成される環状空間部を利用して、ジョイントパイプ１１が、その周壁を連結棒３の外周側に位置させるようにして設置されている。
【００１２】
なお、ジョイントパイプ１１の設置は、第１梁２の端部を柱１の上端面に載置した状態でジョイントパイプ１１を連結孔７の上端開口部を通じて差し込むようにすれば、ジョイントパイプ１１の下端部が柱１側に当接し、所定の位置決め状態に設置される。
【００１３】
そして、第１梁２の端面には、連結金物６に通したボルト１２…を通す通孔１３…が設けられ、該通孔１３…は第１梁２の端部側の連結孔７と連通し、ボルト１２の先端部が、通孔１３…を通じて、連結孔７内のジョイントパイプ１１の周壁に予設されたタップ孔１４と螺合され締め付けられることにより、連結金物６がジョイントパイプ１１を下地として第１梁２の端面に取り付けられ、第２梁５は、該連結金物６が第２梁５の端部の肉内に差し込まれ、側方から図示しないドリフトピンが打ち込まれることにより第１梁２の端部が連結されている。なお、図２（ハ）に示すように、第１梁２の端部の背面側の側面部等にも別の第２梁１５の端部を同様の態様で連結するようにしてもよい。
【００１４】
上記の構造によれば、柱１と第１梁２の端部とを連結する縦向きの連結棒３を通している第１梁２の連結孔７に、ジョイントパイプ１１がその周壁を連結棒３の外周側に位置させるようにして備えられ、第２梁５の端部が、該ジョイントパイプ１１を下地としてボルト１２…により取り付けられた連結金物６で第１梁２の端部に連結されているので、連結棒３の存在にかかわらず、連結金物６ひいては第２梁５の端部を第１梁２に対してしっかりとした連結状態にすることができる。しかも、連結孔７と連結棒３との間の環状スペースにジョイントパイプ１１を設置しただけのものであるから、それをスッキリとした構造で実現することができる。
【００１５】
以上に、本発明の実施形態を示したが、本発明はこれに限られるものではなく、発明思想を逸脱しない範囲で各種の変更が可能である。例えば、上記の実施形態では、第２梁が、１方向あるいは２方向に備えられている場合を示したが、同様の連結構造により３方向に備えられていてもよい。また、上記の実施形態では、第２梁を第１梁に連結するのに連結金物６を用いた場合を示したが、その他の連結金物が用いられてもよいし、ジョイントパイプを下地として金物無しで連結するようにしてもよい。
【００１６】
また、上記の実施形態では、梁勝ちの門形架構に適用した場合を示したが、本発明は、柱梁を備える各種架構構造に適用することができるものである。即ち、上記の実施形態では、柱の上端部に第１梁の端部が載置された場合が示されているが、柱の上端部に第１梁の長さ方向中間部を載置して両者を連結棒にて連結した梁勝ちの柱梁架構構造において、第１梁と直交する方向に第２梁の端部を連結する場合などに適用されてもよい。また、上記の実施形態では柱、梁が木からなる木造の架構構造に適用した場合を示したが、第１梁が木であれば、他は鋼等の金属材などからなっていてもよい。
【図面の簡単な説明】
【００１７】
【図１】実施形態の柱梁架構構造における第２梁連結部を示す分解斜視図である。
【図２】図（イ−１）はジョイントパイプの斜視図、図（イ−２）は図（イ−１）のＩ−Ｉ線断面図、図（ロ）は第２梁連結部の正面図、図（ハ）は図（ロ）のＩＩ−ＩＩ線端面図である。
【図３】門形架構構造を示す全体斜視図である。
【符号の説明】
【００１８】
１…柱
２…第１梁
３…連結棒
５，１５…第２梁
７…連結孔
１１…ジョイントパイプ
【図１】
2006233495.tif 000003
【図２】
2006233495.tif 000004
【図３】
2006233495.tif 000005